(57)【要約】【課題】  有害な離型剤を全く用いることなく高品質の射出成形品を高生産性、高歩留りで成形することができるようにする。【解決手段】  キャビティＣを形成した固定側型板１１に型開き及び型締め方向に移動自在に互に傾斜面を介して滑合された固定入子と、可動型用ストリッパー３１に型開き及び型締め方向に移動自在に互に傾斜面を介して滑合された可動入子３６と、からなり、前記固定入子１３と前記可動入子３６とに複数のエアー噴出し回路１３ａを形成し、型開き時に前記傾斜面間に微小隙間ｇ1，ｇ2を形成させて、前記微小隙間ｇ1，ｇ2から成形品Ｍの延長部に向ってエアー（温風）を噴出して離型するようにする。【選択図】  図６
2007168120.tif 000002
【特許請求の範囲】
【請求項１】
キャビティを形成した固定側型板と、
該固定側型板に型開き及び型締め方向に移動自在に互に傾斜面を介して滑合された固定入子と、
該固定側型板に当接する可動型用ストリッパーと、
該可動型用ストリッパーに型開き及び型締め方向に移動自在に互に傾斜面を介して滑合された可動入子と、
前記固定入子と前記可動入子とに形成した複数のエアー噴出し回路と、からなり、型開き時に前記傾斜面間に隙間を形成させて、該隙間から成形品に向ってエアーを噴出して離型するようにしたことを特徴とする射出成形用金型装置。
【請求項２】
前記固定側型板に傾斜して植設したスライド中子ピンと、
前記スライド中子ピンが挿入される孔をもち、かつ前記可動用ストリッパーに設けた溝内で滑動自在なスライド中子と、
前記スライド中子に連結したスライド中子ピンと、
前記スライド中子ピンの先端部に設けられてスプルー孔に係合し、成形品と一体化される部材と、
前記固定側型板に形成した溝内に嵌入されて前記スライド中子の滑動を所定の位置で阻止するストッパーと、からスライド中子ピン装置を構成し、
型開き時に前記スライド中子ピンを前記一体化される部材に係合させてスプルー部のスプルー合せ部への食いつきを阻止して、射出ノズルとの切り離し時に、スプルー部を切断することとした請求項１に記載の射出成形用金型装置。
【請求項３】
前記隙間が環状成形品の内周に対応する前記固定入子と前記可動入子との前記傾斜面間に形成される請求項１に記載の射出成形用金型装置。
【請求項４】
前記隙間が環状成形品の外周に対応する前記固定入子と前記可動入子との前記傾斜面間に形成される請求項１に記載の射出成形用金型装置。
【請求項５】
前記可動型用ストリッパーの成形品の延出部に対応する外周位置に所定の高さの段差を形成し、前記固定側型板と前記固定入子とに形成した凸部をそれぞれ該段差に係合させてエアーの逃げを防止した請求項１に記載の射出成形用金型装置。
【発明の詳細な説明】
【技術分野】
【０００１】
本発明は、油圧式パワーシャベル、その他一般の農業機械のアーム、ブーム、アジャスト及びバケット用シリンダー等に使用される耐圧性、耐熱性、シール性、耐摩耗性等に優れた環状パッキン等の成形品の射出成形に用いる金型装置に関する（図１０参照）。
【背景技術】
【０００２】
従来の射出成形による環状パッキン等の射出成形品は、耐熱性、耐薬品性及び摩耗性に優れ、かつ、粘着力が強いポリエステル系熱可塑性エラストマー（略称：ＴＰＥ）から成形されているので、型開き時に固定側金型（キャビティ）側に成形品が毎回奪われてしまい、完全な離型ができない問題点があった。
【０００３】
すなわち、従来の射出成形金型装置は、型開き時の状態を図１１に示すように、射出成形金型を固定用金型部材１０と可動用金型部材３０とから構成し、図１１の上部に示す固定用金型部材１０は、４本のタイバー８（図１参照）に４本のガイドピンと爪（図示なし）とを介して固着された固定側取付板１２と、これに当接する固定側型板１１とからなる。そして、固定側取付板１２には、射出ヘッド２のノズル（射出口）を整合して溶融樹脂をキャビティＣ内に導入するスプルーブッシュ１６が金型取付用位置決めのロケートリング１５を介して取り付けられている。
【０００４】
他方、可動用金型部材３０は、図１１の下部に示すように、４本のガイドピン（図示なし）に案内されて、図示しない駆動装置によって床面に水平方向に移動して金型部材を開閉する可動取付け板３５と、これに積層された前部押出し板３３、後部押出し板３４と、成形品Ｍの凹部を形成する可動入子３７と、この可動入子３７が嵌入された可動型用ストリッパー３１とから構成され、成形品Ｍは、射出成形時には、ランナーＲを介してスプルー部Ｓに連接されている。
【０００５】
しかしながら、この種成形品の射出成形では、射出後、金型を開いて離型を行い、次いで可動型用ストリッパー３１を作動させて成形品を押出し、最後に取出し機を用いて成形品を取り出すが、前述したように、型開き時に毎回成形品Ｍが固定側金型（キャビティ）部材１０側に奪われて持って行かれるため、頻繁に有害な離型剤を用い、かつ、図１２図（ａ）に示すように、環状成形品Ｍに製品には不要な延長部ｅを形成し、さらに、深さｄが、例えば、１．０ｍｍ程度の奪われ防止のアンダーカット部ｕを環状の成形品Ｍの全周にわたって、例えば２カ所設けて、固定型金型１０側に成形品Ｍが奪われるのを防止していた。すなわち、離型時に、可動入子３７側に成形品Ｍが残るようにしていた。
【０００６】
しかしながら、このような対策を採っても、依然として、離型時に固定（キャビティ）側に成形品が奪われることが、しばしば発生していた。すなわち、この種射出成形品の材料として、前述したように、粘着力が強いＴＰＥ（略称）が用いられるが、従来の射出成形条件は、極めて許容範囲が狭いため、成形材料のロット（製造年月日）の異なるものは、成形条件を同じにしても、同一の品質等をもつ射出成形品ができない問題点があった。
【０００７】
そこで、従来技術では、使用する射出金型装置で、まず、テストピースを成形し、その成形後、すぐに所定の機械加工し、この加工品をアニール処理（例えば、約１２０℃の温度で１時間程度簡易的に）をし、不良個所を予め確認をした後、通常の成形品の製造を行っていた。しかしながら、このような従来方法によると、成形材料の前述したロット毎に成形を行うため、この時点ですでに２０％〜３０％程度の不良品が発生していた。そして、無駄な部分である延長部ｅを機械加工して成形品から図１２（ａ）の鎖線部で切り離して、図１２（ｂ）に示すような完成品としていた。ここで、この種パッキンとして製品の表面に押出しピン、型割り（パーティングライン）跡等が残ることは、製品の精度上許されていない。
【０００８】
ここで、検査に合格した成形加工品をアニール処理（例えば、約１２５℃の温度で１２時間）したものは、成形材料の分子量の変化により変形が生じ、同様に２０％〜３０％の不良品が発生していた。
【０００９】
しかしながら、従来のこの種射出成形品では、上述したアンダーカット部を設ける対策を取っても、キャビティ側に射出成形品が奪われて持っていかれることが多かったので、頻繁に（例えば、毎型開き時）に有害な離型剤を金型に噴霧していた。
【００１０】
ここで、この種離型剤として、例えば、東洋化学製のジメチルエーテルを主成分とするスパーフリップ７が用いられていたが、高価であるとともに、有害であって、作業の安全性、環境等に問題点を有するものであった。
【００１１】
すなわち、この種離型剤は、その内容成分が、イソヘキサン、イソプロピルアルコール、フッ素シリコン、ジメチルエーテル等から成るため、ガス抜きをしないまま、高温・高湿条件下に放置したり、水中に投入すると、破壊または爆発の恐れがある等の危険性があり、また可燃性であるため使用時には火気に十分注意する必要があった。また、誤飲や爆発すると有害であり、かつ、この高濃度蒸気は麻酔作用があり、吸入すると頭痛、めまい、嘔吐などの症状が現れ、場合によっては意識不明、呼吸困難となり、また皮膚、眼、粘膜などを刺激する、等の有害性があった。さらに、この離型剤を形成する物質は、動物や植物、鳥類、昆虫、水棲生物、微生物等に何らかの影響を与える可能性があり、この物質は、自然環境や水質系にとって有害であり悪影響を及ぼす可能性がある等、環境への影響があった。
【００１２】
さらに、このような有害な離型剤の使用により、成形品の表面にアバタ、剥離等の不良が発生し、また、上述したように、成形品に余分なアンダーカット部を設けてあるために、射出成形後、成形品を金型から可動型用ストリッパー３１で押出して離型する際、図１２（ｃ），（ｄ），（ｅ）に示すように、延長部ｕにさらにメクレ、変形等の不良が発生し易かった。さらに、図１１に示すスプルー部Ｓが型開き時に同様に固定金型側に奪われるため、スプルー部Ｓに、図１１に示すようなアンダーカット部ｕ′を設けていた。さらに従来の射出金型による成形条件は、極めてシビアなため、成形樹脂の分子量の変化のみでも成形品が変形する。そのため、すべての成形品に高分子組織均等化のためにアニール処理を高温（例えば、１００℃以上）で長時間行っていた。
【００１３】
それ故、このような従来の射出成形用金型を用いた環状パッキン等の射出成形品の不良率は２５〜３０％という非常に高いものであった。
【特許文献１】特開平０９−３１４６０８号公報
【発明の開示】
【発明が解決しようとする課題】
【００１４】
そこで、本発明は、このような従来の射出成形用金型装置のもつ問題点に鑑みてなされたもので、金型の開放時に金型内に形成した微細な隙間からエアー（温風）を成形品の全周辺の数個所に対応する位置に噴出して、離型時に成形品がキャビティ（固定）側から可動側に移行するようにして、有害な離型剤を用いることなく、高品質な射出成形品を高生産性、高歩留りで成形することができる射出成形用金型装置を提供することを目的としている。
【課題を解決するための手段】
【００１５】
本発明は、キャビティを形成した固定側型板に型開き及び型締め方向に移動自在に互に傾斜面を介して滑合された固定入子と、可動型用ストリッパーに型開き、型締め方向に移動自在に互に傾斜面を介して滑合された可動入子と、から射出成形用金型装置を構成し、かつ、前記固定入子と前記可動入子とに複数のエアー噴出し回路を形成し、型開き時に前記傾斜面間に微細な隙間を形成させて、前記隙間から成形品に向ってエアー（温風）を噴出して、有害な離型剤を用いずに完全に離型するようにしたことを特徴とする射出成形用金型装置に関する。
【発明の効果】
【００１６】
本発明の射出成形用金型装置によれば、金型から成形品を離型する際、高価かつ有害な離型剤を用いることなく、エアー（温風）の噴出のみにより１００％離型できるので、型開き時に成形品が固定（キャビティ）側に奪われることがなく、成形品が可動側に移動し、かつ、本発明者の別の発明による、タテ孔排気方式及び圧縮成形の併用により不良品の発生率が殆んど零にまで改善された。また、成形品の表面にアバタ等の肌荒れのない高品質の成形品が得られるようになり、かつ、成形後のアニール処理による成形品の変形が皆無となり、完成品以外の部分（例えば、スプルー部）の再利用が可能となった。
【発明を実施するための最良の形態】
【００１７】
まず、添付した図面の図１（ａ），（ｂ）は、本発明の射出成形用金型装置が装着されて、図２（ａ）に示す射出成形品Ｍ（例えば、環状パッキン）を成形する射出成形装置を示す。
【００１８】
この射出成形装置１は、図１（ａ），（ｂ）に示すように、床面ＦＬに防振ゴム等を介して据え付けられ、この射出成形装置１の本体上で床面ＦＬに対して水平方向に移動して射出口を射出成形用金型装置３のスプループッシュ（後述する）に接合して溶融したポリエステル系熱可塑性エラストマー（略称：ＴＰＥ）等の成形樹脂を金型内に導入する射出シリンダーヘッド２と、射出成形操作を監視する操作画面装置４と、粒子状の成形樹脂を射出ヘッド２内に供給するホッパー５と、射出成形金型から離型して取り出された射出成形品を収納するシュート６と、射出成形装置１全体の制御機器を格納した制御盤７と、射出成形用金型装置３を射出成形装置１に爪を介して取り付ける４本のタイバー８と、から構成され、所定の射出成形作業を行うようになっている。
【００１９】
本発明の射出成形金型装置で成形する成形品Ｍ1（例えば、環状パッキン）には、図２（ｂ）に実線で示すように、環状の板状延長部ｅ1，ｅ2を設けて、後述するエアー噴出し及びストリッパーによる成形品の離型が容易になるようにしてある。離型後、図２（ｂ）に示す鎖線部で板状延長部ｅ1，ｅ2を切断加工して最終成形品Ｍ２を得ることができる。
【００２０】
次に、本発明の射出成形用金型装置３の構成を図３から図６により詳細に説明する。
【００２１】
図３は、本発明の射出成形用金型装置３の金型が閉鎖して型締めされた状態を示す。この金型装置３は、固定側金型部材Ａと可動側金型部材Ｂとから構成されている。
【００２２】
固定側金型部材Ａは、図３と図４に示すように、４本のタイバー８（図１及び図２参照）に４本のガイドピン５０と爪（図示せず）とを介して固着された固定側取付板１２と、これに当接する固定側型板１１とからなる。そして、固定側取付板１２には、射出ヘッド２（図１参照）のノズル（射出口）と整合して溶融樹脂をキャビティＣ内に導入するスプルー１７とノズル合せ部１６ａとを有するスプループッシュ１６が、ロケートリング１５を介して取り付けられている。本実施の形態では、キャビティＣを２個備えた２個取りになっているが、キャビティＣを複数個形成して３個以上の多数個取りにしてもよい。
【００２３】
さらに、固定側型板１１には、図３に示すように、固定入子Ａ１３と固定入子Ｂ１４とが嵌入され、固定入子Ａ１３には、キャビティＣの片半分を構成する凹部が刻設されている。なお、固定入子Ｂ１４と固定入子Ａ１３とは、製作上の利便性から別体となっているが、使用時には、図４に示す連結ボルト２０により一体化される。
【００２４】
固定側取付板１２には、図３に示すように、半径方向（金型のパーティングライン方向）にエアー噴出し回路（孔）１２ａが複数個貫設されていて、固定側取付板１２の固定入子Ｂ１４と同芯になる位置に設けたエアー噴出し回路（孔）１２ｂに流体的に連通するようになっている。このエアー噴出し回路１２ｂには、固定入子Ｂ１４に設けたこれより小径の袋孔１４ａが連接されていて、固定入子Ａ１３の半径方向に全周（３６０°）にわたって設けた、例えば６個の、エアー噴出し回路１３ａに流体的に連通している。また、固定側取付板１２には、固定入子Ｂ１４の上面と対応する位置に１個あるいは複数個（例えば、４個）のスプリング１９（図４参照）が埋設されていて、固定入子Ｂ１４を型開き方向に付勢して、型開き時に固定入子Ｂ１４を、後述するように、型開き方向に移動させる。この移動により固定入子Ａ１３と固定入子Ｂ１４との間の傾斜面（例えば５°のテーパ）にクリアランス（微細隙間）ｇ1を形成して、エアー（加熱した圧縮空気：温風）をエアー噴出し回路１２ａからクリアランスｇ1を経て図２（ｂ）に示す成形品Ｍ1の延長部ｅ1に向って噴出するようにしてある。なお、スプリング１９を１個使用する場合には、固定入子Ｂ１４の中心に位置させ、エアー噴出し回路はスプリング１９を回避できる個所に形成する。
【００２５】
他方、可動側金型部材３０は、図３と図５に示すように、４本のガイドピン５０に案内されて図示しない駆動装置によって床面ＦＬに対して水平方向に移動して金型部材を開閉する可動側取付板３５と、半径方向（金型のパーティングライン方向）に延出したエアー噴出し回路（孔）３４ａを設けた後部押出し板３４、前部押出し板３３、背板３２及び背板３２に密着した可動型用ストリッパー３１と、から構成されている。なお、後部押出し板３４と前部押出し板３３とは図示しない締付ボルトにより一体化される。
【００２６】
ここで、可動型用ストリッパー３１と背板３２とは、接続ボルト３９（図５（ａ）参照）により締付けられて一体化されるとともに、リターンピン４０（例えば、４本）（図６（ａ）参照）に案内されて移動する。
【００２７】
また、図３に示す可動型用ストリッパー３１には、固定型側に設けた固定入子Ａ１３と同心に射出成形品の上片半部（凹部）に対応するキャビティＣを凸設した可動入子Ａ３７が嵌入され、この可動入子Ａ３７の同心の内側には、可動入子Ｂ３６が滑入されている。さらに、キャビティＣと同心に、背板１２と前部押出し板３３とにまたがって可動入子Ｃ３８が嵌入されていて、その中心部には、後部押出し板３４に形成したエアー噴出し回路（孔）３４ａと流体的に連通したエアー噴出し回路（孔）３８ａと、これより小径で同心のエアー噴出し回路（孔）３８ｂと、が形成されている。また、型閉め時に固定入子Ａ１３と接合する可動入子Ｂ３６の頂部には半径方向に延出し全周（３６０°）にわたって多数の例えば６個の、エアー噴出し回路（孔）３６ａが穿設されていて、エアー噴出し回路３４ａ、３８ａ、３８ｂと流体的に連通している。これにより、後述するように、型開き時に、可動入子Ｂ３６と可動入子Ｂ３６との傾斜面（例えば、５°のテーパ）間に形成される隙間ｇ1からエアー（温風）を噴出するように構成されている。
【００２８】
また、本発明の射出成形用金型装置を構成する各部材の接合面には、エアー漏れ防止のためのＯ−リング６０が挿入されている。さらに、後述するようなスプルー部Ｓが型開き時にキャビティ側に奪われるのを防止するために、ランナー部１２に隣接し、かつスプルー１７と係止するスライド中子ピンを有するスライド中子ピン装置１８が可動型用ストリッパー３１の中心部に設けられている。
【００２９】
図５（ｂ）と図８に示すように、この中子ピン装置１８は、固定側型板１１の横方向中心線上に傾斜して植設された傾斜ピン（アンギュラーピン）１８ａと、スライド中子ピン１８ａが挿入される孔１８ｆを有するスライド中子１８ｂと、スライド中子１８ｂに連続したスライド中子ピン１８ｄと、スライド中子ピン１８ｄの先端部に設けられスプルー１７の孔に根元部が係合し、かつ可動型用ストリッパー３１中に形成された溝内にその頭部が嵌め込まれた、成形品と同一材料からなり、かつスライド中子ピン１８ｄの先端部が嵌入される孔をもつスプルー落し込み部分１８ｅと、固定側型板１１に形成された溝内に嵌入され、可動型用ストリッパー３１に形成された凹所（溝）１８ｇ内に突出し、スライド中子１８ｂと当接してその滑動を所定位置で阻止するストッパー１８ｃとからなる。この傾斜ピン１８ａは、型締時に、可動型用ストリッパー３１に形成した孔１８ｈに遊合するようになっている。
【００３０】
図６（ａ）は本発明の射出成形用金型装置の半部を、また、図６（ｂ）は、図６（ａ）に矢印Ａで示すキャビティＣ部分の部分拡大図を示す。とくに図６（ｂ）は、距離ｌ1、例えば１．５ｍｍ、型開きして固定入子Ａ１３と固定側型板１１との間に微細隙間（クリアランス）ｇ1が形成され、隙間ｇ1からのエアー（温風）の噴出しにより成形品Ｍが固定側金型１０から離れた状態を示す。
【００３１】
次に、図７に基づいて、本発明の射出成形金型装置の動作（とくに型開きとエアー（温風）噴出しの関係）を説明する。
【００３２】
ここで、図７は、本発明の射出成形金型装置の動きを説明するキャビティ部分の部分断面図（図６（ｂ）に相当）であって、図７（ａ）は成形のために型締めした状態を、図７（ｂ）は、型締め後さらに一旦型開きし（鎖線部分参照）成形品を圧縮した状態を、図７（ｃ）はエアー噴出しのために型開きした状態を、図７（ｄ）は完全に型開きした状態を、図７（ｅ）は成形品の金型からの押出しのためにエアーを噴出した状態を、それぞれ示す。
【００３３】
まず、図７（ａ）の成形型締め時を示す部分拡大図に明示されているように、凹状キャビティＣを形成した固定側型板１１と、これに角度θ（例えば、５°のテーパ）の傾斜面をもって滑合した固定入子Ａ１３により固定側金型を構成し、他方ｈ1（例えば、２ｍｍ）とｈ2（例えば、１．５ｍｍ）の合せ部（段差）を介して凸状の可動入子Ａ３７と可動型用ストリッパー３１からなる可動型を構成して、両金型間に形成されたキャビティＣ内に成形樹脂（例えば、ポリエステル系熱可塑性エラストマー）を射出して成形品Ｍを成形する。
【００３４】
これらの合せ部ｈ1とｈ2は、図６（ｂ）と図７（ａ）に示すように、成形品Ｍの延長部ｅ1とｅ2の下面に相当する、いわゆるパーティングライン、すなわち、可動型用ストリッパー３１の上面からｈ1（例えば、２ｍｍ）とｈ2（例えば、１．５ｍｍ）の段差を形成して合せ部とし、型閉め時に、図７（ａ）に示すように、段差ｈ1に固定入子Ａ１３が、また、段差ｈ2に固定側型板１１の凸部がそれぞれ係合して、噴出したエアーの逃げが防止されるようになっている。すなわち、この合せ部ｈ1，ｈ2により金型開放時の上述した噴出エアーの逃げが防止される。
【００３５】
次いで、図７（ｂ）に示すように、射出及び型締め圧力あるいはトグル機構の調整により、可動側金型を鎖線で示すように、移動させて成形品Ｍに対して所定量ｇ4（例えば、０．１〜０．２ｍｍ）金型を開いて（ｇ4は電動式射出成形機の場合には、トグル機構により設定し、また油圧式射出成形機の場合には、射出圧により設定される）から閉じ増締めして圧縮を行い、成形品の内部組織を緻密化し、成形品の品質向上を図るようにしてある。
【００３６】
さらに、図７（ｃ）に示すように、可動側金型３０を移動（後退）させて型開きを行う。この型開きにより、固定入子Ａ１１が図３に示す１個あるいは複数個のスプリング１９により付勢されて移動し、図示する固定入子Ａ１１と固定側型板１１とのテーパー（傾斜）状（θ：例えば５°程度）滑合面間にエアーが噴出される微少なクリアランスｇ1が形成される。本発明者の検証によると、図７（ｃ）に示す型開き量ｌ3とエアーを噴出するクリアランス（隙間）ｇ1との関係は、以下の通りであった。
【００３７】
例えば、型開き量ｌ3が１．５ｍｍの場合ｇ1は０．１３ｍｍ（最大）、ｌ3が１．０の場合は０．０６６ｍｍ、ｌ3が０．５の場合ｇ1は０．０４４ｍｍ、ｌ3が０．１の場合は０．００９（最小）であった。ここで、ｇ1が０．１３ｍｍ以上であると溶融樹脂が隙間ｇ1内に流入してしまい、また０．００９ｍｍ以下であると隙間ｇ1から十分なエアーの噴出が行われない。一般に、このクリアランス（ｇ1）が少ない程、エアーの力は強く、他方、クリアランスが大きくなるとエアーが分散するためエアーの力が弱くなる。
【００３８】
このクリアランスｇ1からの型開きと同時に生じるエアー噴出により、成形品Ｍの延長部ｅ1が押されて、可動側に移動し固定（キャビティ）側に奪われるのが防止される。
【００３９】
またさらに、図７（ｄ）に示すように、鎖線で示すように固定側金型（固定型１１、固定入子Ａ１３）を、さらに移動させ、図７（ｅ）に示すように、完全に型開きを行うと、押出し板３３，３４の移動により固定側金型１０と同様に、可動入子Ｂ３１と可動入子Ａ３７とのテーパー（傾斜）状滑合面間にクリアランスｇ2が、形成される。
【００４０】
本発明の検証によると、型開き量ｌ3とエアーを噴出するクリアランス（隙間）ｇ2との関係は、以下の通りであった。
【００４１】
型開き量ｌ3が１．５ｍｍの場合ｇ2は０．１３ｍｍ、ｌ3が１．０の場合ｇ2は０．０６６ｍｍ、ｌ3が０．５の場合ｇ1は０．０４４ｍｍ、ｌ3が０．１の場合ｇ2は０．００９であった。
【００４２】
このクリアランスｇ2からのエアー噴出により成形品Ｍが容易に、高価かつ有害な離型剤を用いることなく、可動入子Ａ３７から押出され離型される。
【００４３】
そして、離型後、所定の機械加工を行い延長部ｅ1，ｅ2、ランナー等を除去し、その後、１００℃以上の高温で１０時間程度アニール処理をする。そのため、従来と異なり、本発明では、ランナー等の完成品以外の部分はアニール処理してないから、それらの再利用が可能となる。
【００４４】
またさらに、本発明の射出成形用金型装置では、上述したように、金型開放時にスプルー部Ｓが固定型に奪われるのを防止するため、図５（ｂ）に示すような、スライド中子ピン装置１８を固定側金型１０に設けてある。
【００４５】
ここで、このスライド中子ピン装置１８の作動を説明すると、まず、図８（ａ）に示すように、型締めした成形時には、完全に傾斜（アンギュラー）ピン１８ａは、可動型用ストリッパー３１に形成した孔１８ｈに遊合し、スプルー孔１７に封入されているスプルー部Ｓは、成形品と一体化されたままである。また、成形品と一体化されたスプルー落し込み部１８ｅの孔には、スライド中子ピン１８ｄが完全に嵌入されたままである。この時スライド中子１８ｂは、ストッパー１８ｃに当接して動きを阻止されている。次に金型が、例えば５ｍｍ程度、開くと、図８（ｂ）に示すように、スライド中子ピン１８ｄは僅かに後退するがスライド中心ピン１８ｄの先端部が嵌入したスプルー落し込み部１８ｅによりスプルー部Ｓの射出ノズル合せ部１６ａへの食い付きが阻止されるので、ａ点でスプルー部Ｓの先端部がスライド中子ピン１８ｄがスプルー部Ｓに嵌入している状態でカットされて固定側より離型し、可動側に移行される、すなわち固定側に奪われることがなくなる。この時スライド中子１８ｂは、ストッパー１８ｃの斜面に当接したまま凹所１８ｇ内を滑動する。さらに図１８（ｃ）に示すように、金型が開き傾斜ピン１８ａが可動型用ストリッパー３１の孔１８ｈが抜けるとスライド中子ピン１８ｄもスプルー落し込み部１８ｅから抜け、完全なスプルー部Ｓのスプルー孔１７からの離脱が行われることになる。
【００４６】
さらに、本発明の射出成形用金型装置では、射出成形時のキャビティからのガスは、本発明者の別の発明〔特願２００４−０５６６０号（特開２００５−２３８６０３号公報）〕によるタテ孔方式を採用して完全に除去した。
【００４７】
また、本発明の射出成形用金型装置の他の実施例として、図９に示すように、固定用型板１１に固定入子Ｂ１４ａを嵌入し、固定用型板１１と固定入子Ｂ１４ａとの間に、型開き時に、クリアランスｇ3を形成してエアー（温風）を成形品の外側から噴出させて成形品Ｍ1の延長部ｅ2（図２（ｂ）参照）に当て離型してもよい。
【産業上の利用可能性】
【００４８】
有害かつ高価な離型剤を全く用いることなく、エアー（温風）の噴出のみにより成形品を固定（キャビティ）側に、型開放時に奪われることなく離型できるので、精密な寸法、形状、品質、高歩留り等を要求される、例えば環状の、射出成形品の成形に広く適用できる。
【図面の簡単な説明】
【００４９】
【図１】本発明の射出成形金型装置を装備する射出成形装置を示し、図１（ａ）はその正面図、図１（ｂ）はその平面図を示す。
【図２】本発明の射出成形型装置により成形される射出成形品（例えば、図１０に示す油圧式パワーショベル用あるいはその他の農業機械用の環状パッキン）を示し、図２（ａ）は機械加工後の製品（環状パッキン）の部分横断面を、また図２（ｂ）は射出成形品の部分横断面を示す。
【図３】本発明の射出成形金型装置の図１に示すＺ−Ｚ矢視断面図であって、射出成形金型を型締めして閉じた状態を示す。
【図４】本発明の射出成形金型装置の固定側金型部材を図３に示すＩ−Ｉ矢視方向から見た正面図。
【図５】図５（ａ）は、本発明の射出成形金型装置の可動側金型部材を図３に示すＩＩ−ＩＩ矢視方向から見た正面図を、また図５（ｂ）は図５（ａ）に示すＡ−Ａ′矢視方向から見たスライド中子ピン装置の、さらに図５（ｃ）は、図５（ｂ）のＤ矢視図の部分拡大断面図をそれぞれ示す。
【図６】図６（ａ）は、図３に示した本発明の射出成形金型装置が型開きし、エアー噴出を微小隙間から行った状態を、また、図６（ｂ）は図６（ａ）のＡ矢視部の部分拡大図を示す。
【図７】本発明の射出成形金型装置の動きを説明するキャビティ部分の部分断面図であって、図７（ａ）は成形のために型締めし成形した状態を、図７（ｂ）は成形後さらに成形品を圧縮した状態を、図７（ｃ）はエアー噴出しのために型開きをした状態を、図７（ｄ）は完全に型開きした状態を、図７（ｅ）は成形品を金型から押出すためにエアーを噴出した状態を、それぞれ示す。
【図８】本発明の射出成形金型装置に装備した図５（ｂ）に示すスライド中子ピンが射出成形品のスプルー部を型開きにしたがってカットする状態を示し、図８（ａ）は型締め成形時を、図８（ｂ）は、金型が例えば５ｍｍ開いてスプルー部先端がカットされた状態を、さらに、図８（ｃ）は金型がさらに開いてスライド中子ピンがスプルー落し込み部から、また傾斜ピンが可動型用ストリッパーから完全に抜けた状態を示す。
【図９】本発明の射出成形金型装置の他の実施例を示し、成形品の外側からエアーを噴出して成形品の延長部ｅ2（図２（ｂ）参照）を押圧して離型する実施形態を示す。
【図１０】本発明の射出成形金型装置により成形される環状パッキンが適用される油圧式パワーショベルの使用部位を示す。
【図１１】従来の射出成形金型装置の可動側金型が射出後移動（後退）して金型が開いた状態の半部断面図。
【図１２】従来の射出成形金型装置による射出成形品（例えば、油圧パワーショベルあるいは農業機械の環状パッキン）を示し、図１２（ａ）はアンダーカット部をパッキンの全周にわたって２カ所を設けた射出成形品の部分断面図を、図１２（ｂ）は機械加工して不要部分を除去した製品の部分断面図を、また図１２（ｃ），（ｄ），（ｅ）はアンダーカット部にメクレ、変形等が発生し、さらに拡大した状態の射出成形品の部分断面図を、それぞれ示す。
【符号の説明】
【００５０】
１  射出成形装置
２  射出シリンダーヘッド
３  金型装置
４  操作画面装置
５  ホッパ
６  シュート
７  制御盤
８  タイバー
１０  固定側金型
１１  固定側型板
１２  固定側取付板
１２ａ  エアー噴出し回路（孔）
１３  固定入子Ａ
１３ａ  エアー噴出し回路（孔）
１４  固定入子Ｂ
１５  ロケートリング
１６  スプルーブッシュ
１７  スプルー
１８  スライド中子ピン装置
１９  スプリング
３０  可動側金型
３１  可動型用ストリッパー
３２  背板
３３  前部押出し板
３４  後部押出し板
３４ａ  エアー噴出し回路（孔）
３５  可動側取付け板
３６  可動入子Ｂ
３７  可動入子Ａ
３８  可動入子Ｃ
３８ａ，３８ｂ  エアー噴出し回路（孔）
５０  ガイドピン
６０  Ｏ−リング
Ａ  固定側金型部材
Ｂ  可動側金型部材
Ｃ  キャビティ
Ｇ  ゲート
Ｒ  ランナー部
Ｓ  スプルー部
Ｍ  射出成形品
ｇ1，ｇ2，ｇ3  クリアランス（微小隙間）
ｅ1，ｅ2  成形品の延長部
ｈ1，ｈ2  金型合せ部
【図１】
2007168120.tif 000003
【図２】
2007168120.tif 000004
【図３】
2007168120.tif 000005
【図４】
2007168120.tif 000006
【図５】
2007168120.tif 000007
【図６】
2007168120.tif 000008
【図７】
2007168120.tif 000009
【図８】
2007168120.tif 000010
【図９】
2007168120.tif 000011
【図１０】
2007168120.tif 000012
【図１１】
2007168120.tif 000013
【図１２】
2007168120.tif 000014